(57)【要約】【課題】容易に安価にミスト吐出機能付シャワーヘッドを設置してミストを浴室に吐出可能とするミスト吐出機能付シャワーヘッドの固定構造を提供する。【解決手段】ケーシング１に流入口１０とシャワー吐出口２１とミスト吐出口３１と、シャワー流路２と、ミスト流路３と、ミスト発生手段４と、シャワー流路２とミスト流路３とを切り替える切替スイッチ５を設けてミスト吐出機能付シャワーヘッドを構成する。切替スイッチ５の表面に非円形凹部５１を形成し、浴室壁Ｗにケーシング１を保持させる保持腕６を設け、保持腕６の内外に貫通し外側から回転させてねじ込むことで保持腕６の内側のケーシング１の切替スイッチ５に対応する部分に向けてロック部７１を突出するロック手段７を設けた。ケーシング１を保持腕６に保持させ、ロック部７１を非円形凹部５１に嵌入させて保持腕６へのロックを行うと共に回転させてミスト流路３に切り替えた。【選択図】図１
2009233066.tif 000002
【特許請求の範囲】
【請求項１】
ケーシングに流入口とシャワー吐出口とミスト吐出口とを設け、前記流入口からシャワー吐出口に至るシャワー流路と、前記流入口からミスト吐出口に至るミスト流路とをケーシング内部に設け、ミスト流路のミスト吐出口近傍にミスト発生手段を設け、流入口から流入した湯水をシャワー流路に流すかミスト流路に流すかを回転により切り替える切替スイッチを、その表面に形成した非円形凹部が外方に臨むようにケーシングの表面に設けてなるミスト吐出機能付シャワーヘッドの固定構造であって、浴室壁に設けられ内部にケーシングを保持させる保持腕に、保持腕の内外に貫通し外側から回転させてねじ込むことで保持腕の内側のケーシングの切替スイッチに対応する部分に向けてロック部を突出するロック手段を設け、ケーシングを保持腕に保持させてロック手段を回転させることで、ロック部をケーシングの切替スイッチの非円形凹部に嵌入させて保持腕へのロックを行うと共に、切替スイッチをロック部と共に回転させてミスト流路に切り替えて成ることを特徴とするミスト吐出機能付シャワーヘッドの固定構造。
【発明の詳細な説明】
【技術分野】
【０００１】
本発明は、ミスト吐出機能付シャワーヘッドの固定構造に関するものである。
【背景技術】
【０００２】
従来より、浴室内でミストサウナを行うためのミストサウナ装置が知られている。ミストサウナ装置は、浴室内にミストを吐出して低温又は高温で高湿度の環境を作り出し、身体に掛かる負担を少なくして使用者の発汗を促すものである。
【０００３】
ミストサウナ装置は、例えば特許文献１に示されるもののように、装置本体を浴室天井裏等に設置し、天井に形成した開口を介して浴室内にミストを吐出するのであるが、この装置は高価であると共に、設置作業が煩雑で設置に費用がかかるものであった。
【０００４】
そこで、ミスト吐出機能を備えた装置を容易に安価に設置することができて、手軽にミストを吐出可能なものが望まれていた。
【特許文献１】特開２００３−６５５５４号公報
【発明の開示】
【発明が解決しようとする課題】
【０００５】
本発明は上記従来の問題点に鑑みて発明したものであって、その目的とするところは、容易に安価にミスト吐出機能付シャワーヘッドを設置してミストを浴室に吐出可能とするミスト吐出機能付シャワーヘッドの固定構造を提供することを課題とするものである。
【課題を解決するための手段】
【０００６】
上記課題を解決するために請求項１に係る発明は、ケーシング１に流入口１０とシャワー吐出口２１とミスト吐出口３１とを設け、前記流入口１０からシャワー吐出口２１に至るシャワー流路２と、前記流入口１０からミスト吐出口３１に至るミスト流路３とをケーシング１内部に設け、ミスト流路３のミスト吐出口３１近傍にミスト発生手段４を設け、流入口１０から流入した湯水をシャワー流路２に流すかミスト流路３に流すかを回転により切り替える切替スイッチ５を、その表面に形成した非円形凹部５１が外方に臨むようにケーシング１の表面に設けてなるミスト吐出機能付シャワーヘッドの固定構造であって、浴室壁Ｗに設けられ内部にケーシング１を保持させる保持腕６に、保持腕６の内外に貫通し外側から回転させてねじ込むことで保持腕６の内側のケーシング１の切替スイッチ５に対応する部分に向けてロック部７１を突出するロック手段７を設け、ケーシング１を保持腕６に保持させてロック手段７を回転させることで、ロック部７１をケーシング１の切替スイッチ５の非円形凹部５１に嵌入させて保持腕６へのロックを行うと共に、切替スイッチ５をロック部７１と共に回転させてミスト流路３に切り替えて成ることを特徴とするものである。
【０００７】
このような構成とすることで、ミスト吐出機能付シャワーヘッドを用いることで、容易に安価にミスト吐出機能を得ることができる。
【発明の効果】
【０００８】
本発明にあっては、ミスト吐出機能を備えた装置を浴室天井裏等に設置する必要がなく、高価な装置やその設置作業が不要であり、ミスト吐出機能付シャワーヘッドを用いることで、容易に安価にミスト吐出機能を得ることができる。
【発明を実施するための最良の形態】
【０００９】
以下、本発明について図１乃至図４に基づいて説明する。
【００１０】
シャワーヘッドは、図１、図２に示すように、外殻となるケーシング１の上端が膨大部１ａとなると共に、ケーシング１の膨大部１ａよりも下側の部分が前記膨大部１ａよりも径の小さい小径部１ｂとなっている。膨大部１ａは、一側面にシャワー吐出口２１が設けてあり、また別の側面にミスト吐出口３１が設けてある。シャワー吐出口２１は、膨大部１ａの一側面に形成される略円形状をした面に、多数の小さい孔を穿孔して形成している。
【００１１】
ケーシング１の小径部１ｂは、下方へ行く程径が小さくなる略円筒状をしたもので、その下端部には流入口１０が設けてあり、前記流入口１０からシャワー吐出口２１に至るシャワー流路２がケーシング１内部に設けてある。また、前記シャワー流路２とは別に、前記流入口１０からミスト吐出口３１に至るミスト流路３がケーシング１内部に設けてある。シャワー流路２とミスト流路３とは上流側（流入口１０側）の一部を共有していて、途中から下流側において別々となっている。ケーシング１の流入口１０にはシャワーホース８が接続される。
【００１２】
また、ミスト流路３のミスト吐出口３１近傍にはミスト発生手段４が設けてある。ミスト発生手段４は、ミスト流路３のミスト吐出口３１近傍に回転自在に収容された拡散翼（図示せず）により湯水をミスト状とするものである。
【００１３】
またケーシング１には、流入口１０から流入した湯水をシャワー流路２に流すかミスト流路３に流すかを切り替える切替スイッチ５が設けてある。切替スイッチ５は、表面に形成した非円形凹部５１が外方に臨むようにケーシング１の表面に設けるもので、非円形凹部５１を回転させることで切り替えを行うものである。非円形凹部５１は、内部に後述するロック部７１が嵌入されて、ロック部７１の回転に伴って回転するようになっている。切替スイッチ５の外端面は、ケーシング１の表面と略面一か、ケーシング１よりも内部に没入されている。切替スイッチ５は、流入口１０に接続される共有流路１１の下流端の近傍に取り付けてある。そして切替スイッチ５は、非円形凹部５１を中心として回転させることで、共有流路１１の下流端の位置が変化し、シャワー流路入口２０とミスト流路入口３０のいずれかに選択的に位置させることができる。
【００１４】
浴室壁Ｗには、上述したケーシング１を保持する保持腕６が設けてある。保持腕６は、内部にケーシング１の小径部１ｂが上方から挿入されて、法線が水平よりも上側を向く保持腕６内面によりケーシング１を保持するもので、両保持椀の先端間がシャワーホース８の挿通隙間となっている。そして保持椀には、保持したケーシング１が脱落しないようにロックするロック手段７を設けている。
【００１５】
ロック手段７は、保持腕６の内外に貫通する孔に配置され、外側から回転させてねじ込むことで、保持腕６の内側のケーシング１の切替スイッチ５に対応する部分に向けて移動するもので、先端に切替スイッチ５の非円形凹部５１に嵌入されるロック部７１を突出している。本実施形態では、ロック手段７は、保持椀にケーシング１を保持させた時に非円形凹部５１が位置する部分（特に高さ位置）において、保持椀に内外に貫通するねじ孔６１を螺設し、このねじ孔６１に雄ねじ７２を形成したロック手段７を外側から螺合させてある。また本実施形態では、ロック部７１と非円形凹部５１は略正方形状をしているが、特に限定されない。すなわち、嵌合して回転させた時に空回りしない形状であればよい。
【００１６】
上記のミスト吐出機能付シャワーヘッドは、ケーシング１の小径部１ｂを保持腕６に保持させて、ロック手段７を回転させてねじ込むことで、ロック部７１をケーシング１の切替スイッチ５の非円形凹部５１に嵌入させ、更にロック手段７を回転させることで、ロック部７１が嵌入した非円形凹部５１を回転させて湯水をシャワー流路２に流す状態からミスト流路３に流す状態へと切り替えるもので、流路の切り替えと同時にケーシング１の保持椀へのロックが行われる。
【００１７】
上記構成によれば、ミスト吐出機能を備えた装置を浴室天井裏等に設置する必要がなく、高価な装置やその設置作業が不要であり、ミスト吐出機能付シャワーヘッドを用いることで、容易に安価にミスト吐出機能を得ることができる。
【図面の簡単な説明】
【００１８】
【図１】本発明の一実施形態のミスト吐出機能付シャワーヘッド及び保持腕の分離した状態の斜視図である。
【図２】同上において保持腕にてミスト吐出機能付シャワーヘッドを保持した状態を示し、（ａ）はロック手段によるロックを行っていない状態の一部切欠正面図であり、（ｂ）はロック手段によるロックを行っている状態の一部切欠正面図である。
【図３】同上において切替スイッチによりシャワー流路に切り替えた状態を示し、（ａ）は断面図であり、（ｂ）は斜視図である。
【図４】同上において切替スイッチによりミスト流路に切り替えた状態を示し、（ａ）は断面図であり、（ｂ）は斜視図である。
【符号の説明】
【００１９】
１    ケーシング
１ａ  膨大部
１ｂ  小径部
１０  流入口
１１  共有流路
２    シャワー流路
２０  シャワー流路入口
２１  シャワー吐出口
３    ミスト流路
３０  ミスト流路入口
３１  ミスト吐出口
４    ミスト発生手段
５    切替スイッチ
５１  非円形凹部
６    保持腕
６１  ねじ孔
７    ロック手段
７１  ロック部
７２  雄ねじ
８    シャワーホース
Ｗ    浴室壁
【図１】
2009233066.tif 000003
【図２】
2009233066.tif 000004
【図３】
2009233066.tif 000005
【図４】
2009233066.tif 000006